(57)【要約】【課題】階段の滑り止めステップに沿って配置される従来の蓄光シートや塗布された蓄光材料は、足裏に直接的に踏みつけられたり、掃除機やブラシなどを用いた清掃作業によりすぐに損傷してしまい、視認性が低下してしまうという問題がある【解決手段】上記課題を解決するために、段鼻に設置される滑り止めステップの長手方向に沿って配置される蓄光標識体であって、下面が段板と接して配置される本体と、前記本体の上面に長手方向に設けられる溝と、前記溝にその上面が本体の上面と面一にならないよう配置される蓄光材料と、からなる蓄光標識体などを提供する。【選択図】図１
2013249646.tif 000002
【特許請求の範囲】
【請求項１】
段鼻に設置される滑り止めステップの長手方向に沿って配置される蓄光標識体であって、
下面が段板と接して配置される本体と、
前記本体の上面に長手方向に設けられる溝と、
前記溝にその上面が本体の上面と面一にならないよう配置される蓄光材料と、
からなる蓄光標識体。
【請求項２】
前記溝は曲面で形成された溝である請求項１に記載の蓄光標識体。
【請求項３】
前記蓄光材料は、前記曲面に沿って膜状に配置される請求項１又は２に記載の蓄光標識体。
【請求項４】
前記溝は内面に反射層を有する請求項１から３のいずれか一に記載の蓄光標識体。
【請求項５】
前記溝は複数であるとともに、略平行に設けられている請求項１から４のいずれか一に記載の蓄光標識体。
【請求項６】
前記蓄光材料と本体上面との段差は、一の溝につきこの蓄光標識体が配置される段板の段鼻側が相対的に段差大であり、この蓄光標識体が配置される段板の段鼻側と反対側が相対的に段差小である請求項１から５のいずれか一に記載の蓄光標識体。
【請求項７】
前記蓄光材料と本体上面との段差は、一の溝につきこの蓄光標識体が配置される段板の段鼻側が相対的に段差小であり、この蓄光標識体が配置される段板の段鼻側と反対側が相対的に段差大である請求項１から５のいずれか一に記載の蓄光標識体。
【請求項８】
前記蓄光材料と本体上面との段差は、複数の溝どうしを比較したとき、この蓄光標識体が配置される段板の段鼻側が相対的に段差大であり、この蓄光標識体が配置される段板の段鼻側と反対側が相対的に段差小である請求項６に記載の蓄光標識体。
【請求項９】
前記蓄光材料と本体上面との段差は、複数の溝どうしを比較したとき、この蓄光標識体が配置される段板の段鼻側が相対的に段差小であり、この蓄光標識体が配置される段板の段鼻側と反対側が相対的に段差大である請求項７に記載の蓄光標識体。
【発明の詳細な説明】
【技術分野】
【０００１】
本発明は、階段の段鼻に設置される滑り止めステップの長手方向に沿って配置される蓄光標識体に関する。
【背景技術】
【０００２】
階段の段鼻には、安全な昇降のため滑り止めステップが設置されていることが多い。そして、この滑り止めステップに沿って蓄光シートを貼付したり、あるいは、蓄光材料をライン状に塗布したりすることがある。このようにすることで、暗闇のなかでも段鼻の存在を視覚に訴えることでより安全に昇降できるよう図っている。
【先行技術文献】
【特許文献】
【０００３】
【特許文献１】特開２００９−１６１６９９号公報
【発明の概要】
【発明が解決しようとする課題】
【０００４】
蓄光シートの貼付や蓄光材料の塗布における利点としては、施工が容易であるとともに、薄くて幅が狭いため階段を昇降する足の運びを妨げることがないことが挙げられる。一方、蓄光シートや塗布された蓄光材料は、足裏に直接的に踏みつけられたり、掃除機やブラシなどを用いた清掃作業によりすぐに損傷してしまい、蓄光材料による視認性が低下してしまうという問題がある。
【０００５】
係る問題を鑑み、足の運びの妨げとならないように配置することができるとともに、損傷しにくいことにより良好な視認性が維持される蓄光標識体を提供することを課題とする。
【課題を解決するための手段】
【０００６】
そこで、上記課題を解決するために本発明において、以下の蓄光標識体を提供する。すなわち、第一の発明としては、段鼻に設置される滑り止めステップの長手方向に沿って配置される蓄光標識体であって、下面が段板と接して配置される本体と、前記本体の上面に長手方向に設けられる溝と、前記溝にその上面が本体の上面と面一にならないよう配置される蓄光材料と、からなる蓄光標識体を提供する。
【０００７】
第二の発明としては、前記溝は曲面で形成された溝である第一の発明に記載の蓄光標識体を提供する。
【０００８】
第三の発明としては、前記蓄光材料は、前記曲面に沿って膜状に配置される第一の発明又は第二の発明に記載の蓄光標識体を提供する。
【０００９】
第四の発明としては、前記溝は内面に反射層を有する第一の発明から第三の発明のいずれか一に記載の蓄光標識体を提供する。
【００１０】
第五の発明としては、前記溝は複数であるとともに、略平行に設けられている第一の発明から第四の発明のいずれか一に記載の蓄光標識体を提供する。
【００１１】
第六の発明としては、前記蓄光材料と本体上面との段差は、一の溝につきこの蓄光標識体が配置される段板の段鼻側が相対的に段差大であり、この蓄光標識体が配置される段板の段鼻側と反対側が相対的に段差小である第一の発明から第五の発明のいずれか一に記載の蓄光標識体を提供する。
【００１２】
第七の発明としては、前記蓄光材料と本体上面との段差は、一の溝につきこの蓄光標識体が配置される段板の段鼻側が相対的に段差小であり、この蓄光標識体が配置される段板の段鼻側と反対側が相対的に段差大である第一の発明から第五の発明のいずれか一に記載の蓄光標識体を提供する。
【００１３】
第八の発明としては、前記蓄光材料と本体上面との段差は、複数の溝どうしを比較したとき、この蓄光標識体が配置される段板の段鼻側が相対的に段差大であり、この蓄光標識体が配置される段板の段鼻側と反対側が相対的に段差小である第六の発明に記載の蓄光標識体を提供する。
【００１４】
第九の発明としては、前記蓄光材料と本体上面との段差は、複数の溝どうしを比較したとき、この蓄光標識体が配置される段板の段鼻側が相対的に段差小であり、この蓄光標識体が配置される段板の段鼻側と反対側が相対的に段差大である第七の発明に記載の蓄光標識体を提供する。
【発明の効果】
【００１５】
本発明により、足の運びの妨げとならずに配置することができるとともに、損傷しにくいことにより良好な視認性が維持される蓄光標識体を提供することができる。
【図面の簡単な説明】
【００１６】
【図１】実施形態１に係る蓄光標識体の一例を示す概念図
【図２】実施形態１に係る蓄光標識体の一例を示す概念図
【図３】実施形態１に係る蓄光標識体の他の例を示す概念図
【図４】実施形態１に係る蓄光標識体の他の例を示す概念図
【図５】実施形態２に係る蓄光標識体の一例を示す概念図
【図６】実施形態２に係る蓄光標識体の他の例を示す概念図
【図７】実施形態３に係る蓄光標識体の一例を示す概念図
【図８】実施形態３に係る蓄光標識体の他の例を示す概念図
【図９】実施形態３に係る蓄光標識体の他の例の効果を示す概念図
【発明を実施するための形態】
【００１７】
以下、本発明の実施の形態について、添付図面を用いて説明する。なお、本発明は、これら実施形態に何ら限定されるべきものではなく、その要旨を逸脱しない範囲において、種々なる態様で実施し得る。
【００１８】
実施形態１は、主に請求項１、２、３、４などに関する。実施形態２は、主に請求項６、７などに関する。実施形態３は、主に請求項５、８、９などに関する。
<実施形態１>
<実施形態１  概要>
【００１９】
本実施形態に係る蓄光標識体は、滑り止めステップに沿って配置することで昇降する足に直に踏まれにくくなるとともに、蓄光材料が本体の上面と面一にならないように配置されることにより蓄光材料の損傷を効果的に防止することができる。そして、蓄光材料が損傷しにくくなることにより、良好な視認性が維持され、安全な昇降に寄与する。
<実施形態１  構成>
【００２０】
本実施形態の蓄光標識体は、段鼻に設置される滑り止めステップの長手方向に沿って配置される蓄光標識体であって、下面が段板と接して配置される本体と、前記本体の上面に長手方向に設けられる溝と、前記溝にその上面が本体の上面と面一にならないよう配置される蓄光材料と、からなる。
【００２１】
図１は、蓄光標識体の一例を示す概念図である。蓄光標識体（０１００）の本体（０１０１）の上面（０１０２）には、長手方向に溝が設けられる。蓄光材料（０１０３）は、その上面が本体の上面と面一とならないように溝に配置される。
【００２２】
図２は、蓄光標識体が滑り止めステップの長手方向に沿って配置される態様を示す概念図である。段板（０２０１）の段鼻には滑り止めステップ（０２０２）が設置されており、その長手方向に沿って上面に傾斜（０２０４）が設けられていない側を滑り止めステップと接するように蓄光標識体（０２０３）を配置する。図は模式的に示しているが、蓄光標識体は、滑り止めステップよりも薄く細いことが好ましく、例えば２ｍｍ〜３ｍｍ程度の薄さであり、かつ、その幅を１０ｍｍ〜３０ｍｍ程度とすることで、滑り止めステップの影に隠れるかのように配置される。これにより、階段を昇降する足の裏が直接蓄光標識体に触れる頻度は低いものとなり、踏まれることによる損傷が極めて生じにくい。また、溝の幅は３ｍｍ〜５ｍｍ程度が好ましく、その数は蓄光標識体の幅に応じて定めることが好ましい。例えば、２０ｍｍの幅を有する場合には２列の溝を設け、より広い３０ｍｍの幅を有する場合には３列の溝を設けるといった具合である。
【００２３】
図１に示すように、本体上面と蓄光材料の上面とに段差が生じる。この段差により蓄光材料の上面に足裏などが直接的に接することを妨げ表面の損傷による輝度低下を抑止するとともに、滑り止めの効果をももたらすことが可能となる。
【００２４】
蓄光標識体の本体は、金属、合成樹脂、木などにより形成し得る。足裏に踏まれたり、重量物が載ったりするなどの過酷な使用状況に置かれるため、耐久性に優れる材料を用いて形成することが好ましい。
【００２５】
蓄光標識体の本体の形状は、これまで図示してきたように、上面に設けられた溝を挟んだ一方の側に傾斜を設けることが好ましい。傾斜を設けることにより、足のつま先が蓄光標識体に引っかかりにくくなり安全な昇降に寄与する。また、図３に示すように、蓄光標識体（０３０１）の本体上面に溝を挟んだ両側にそれぞれ傾斜（０３０２、０３０３）を設けてもよい。
【００２６】
蓄光材料は、太陽光や蛍光灯等の紫外光を受けてその光エネルギーを吸収し、吸収した光エネルギーを可視光に変換し、光エネルギーの供給が停止した後も一定時間光を放出することにより発光し続ける材料である。例えば、アルミン酸ストロンチウム、ケイ素アルミン酸ストロンチウム、アルミン酸カルシウム等のアルミン酸金属塩などを挙げることができる。
【００２７】
蓄光材料が配置される溝の形態は種々採用し得る。例えば、これまで図示してきたように、弧を描くような曲面をもつ溝であってもよいし、Ｖ字状の溝や、断面形状が矩形となるような溝であってもよい。また、溝は図示してきたように長手方向の端から端まで途切れることなく一直線に配置される場合に限らず、断続的に設けてもよいし、また、左右に蛇行しながら設けてもよい。なお、蓄光材料を溝に配置するためには、例えば、液体状態の蓄光材料を流し込んで乾燥させたり、あるいは、固体状態の蓄光材料を圧嵌したりする方法を用いることができる。また、溝を埋めるように配置する他に、溝の曲面に沿って膜状となるように配置してもよい。
【００２８】
また、蓄光材料が配置される溝の内面に反射材を膜状に配置し、その上に蓄光材料を配置してもよい。この場合、蓄光材料から発せられる光が反射材に反射されることにより視認性の向上に寄与し得る。
【００２９】
図４は、反射材を配置した場合の蓄光標識体を示す概念図である。蓄光標識体（０４０１）には曲面をもつ溝が設けられ、その曲面には膜状の反射材（０４０３）が配置され、その上に蓄光材料（０４０２）が配置される。このように構成した場合、蓄光材料からの光が反射材により乱反射されることによって、蓄光標識の発光輝度が向上する。
【００３０】
反射材としては、酸化チタン、シリカなどの白色顔料をアクリル樹脂やポリカーボネイト樹脂等の溶液に混合したものを用いることができる。特に、酸化チタンは、反射性に優れており最も好適である。
【００３１】
また、溝に配置された蓄光材料の上面に透明保護層をさらに設けてもよい。透明保護層は、蓄光材料の損傷や劣化を防止し、蓄光材料からの発光を拡散させて輝度を向上させることに寄与する。例えば、アクリル樹脂（屈折率１．４９）を溶液とする蓄光材料を配置する場合には、その屈折率より小さい屈折率のポリテトラフルオロエチレン（ＰＴＦＥ）などの透明フッ素樹脂（屈折率１．３５〜１．４２程度）を透明保護層として用いることが好ましい。
【００３２】
このように、発光源である蓄光材料の上層に位置する透明保護層がより小さな屈折率をもつ場合、蓄光材料から透明保護層へ入射される光の入射角が臨界角を超えたときは、その光は透明保護層を透過せず全反射し蓄光材料中に広がっていくこととなる。一方で、臨界角よりも小さな入射角で進入する光は、蓄光材料の外側へ出射されるので、蓄光材料の表面全体が明るく光ることとなる。
【００３３】
蓄光材料の輝度はその厚みに比例するが、一定の厚さ（略０．７５ｍｍ）を超えるとそれ以上の輝度の上昇は認められない。そこで、蓄光材料を複数の層にして構成することで輝度をより上昇させることができる。このとき、複数の蓄光材料の層間、蓄光材料と反射材又は透明保護層との間に、蓄光材料と同等の屈折率をもつ透明層を設けることが好ましい。蓄光材料の上下に透明層を配置することにより、蓄光材料から発せられた光が各透明層の間で反射を繰り返すことで、輝度を増すことができる。この透明層には、例えば、透明アクリル樹脂などを用いることができる。なお、透明層や透明保護層などを用いて多層の構成とする場合には、発光輝度の低下をもたらさないために、各層間に接着剤などの異質な材料が介在しないように構成することが望ましい。
【００３４】
本実施形態の蓄光標識体を具現するにあたり好適な寸法の一例を挙げる。まず、本体の長手方向が３００ｍｍで、短手方向が２５ｍｍで、下面から上面までの高さが３ｍｍとなる。また、弧を描く曲面にて溝を設ける場合には中央の最深部分の深さを２ｍｍとし、その幅を４ｍｍ〜１５ｍｍ程度とし、本体上面と蓄光材料上面との段差を０．３〜１．０ｍｍ程度にすることが好ましい。また、上面に傾斜を設ける場合には、傾斜の端部における高さを１ｍｍ以下にすることが配置される階段面との段差を抑えることに寄与し好ましい。なお、後述するように複数の溝を設ける場合には、その数に応じて適宜幅を定めることが好ましい。
<実施形態１  効果>
【００３５】
本実施形態の蓄光標識体により、暗闇での良好な視認性と、蓄光材料と本体上面との段差による滑り止め効果とを併せて得ることができる。
<実施形態２>
<実施形態２  概要>
【００３６】
本実施形態の蓄光標識体は、溝に配置される蓄光材料の上面に傾斜を持たせることに特徴を有する。駅などの公共施設は利用者が多いことから、階段の通行区画が「昇り」と「降り」とに分けられている場合が多い。このような場合に、昇降のいずれかの方向に特化して視認性の向上を図ることが好ましい。そこで、例えば、昇り用区画に用いる場合には、段鼻側に向けて下る傾斜を蓄光材料の上面に設ける。これにより、蓄光材料から発せられる光の方向は、配置される段板よりも下の段板側に傾くことになる。したがって、階段を昇る者に光が向かうことになり、より視認性が良好となる。
<実施形態２  構成>
【００３７】
本実施形態の蓄光標識体は、実施形態１を基本とし、蓄光材料と本体上面との段差が、一の溝につきこの蓄光標識体が配置される段板の段鼻側が相対的に段差大であり、この蓄光標識体が配置される段板の段鼻側と反対側が相対的に段差小となるように構成される。また、他の実施形態としては、前記蓄光材料と本体上面との段差が、一の溝につきこの蓄光標識体が配置される段板の段鼻側が相対的に段差小であり、この蓄光標識体が配置される段板の段鼻側と反対側が相対的に段差大となるように構成される。
【００３８】
図５は、上記前者の実施形態に係る蓄光標識体を示す概念図である。階段（０５００）の段鼻に設置された滑り止めステップの長手方向に沿って蓄光標識体（０５０１）が配置される。この蓄光標識体を拡大したものを、図中の枠内に示している。
【００３９】
枠内に示される蓄光標識体（０５０１）に配置される蓄光材料（０５０２）の上面は、本体上面（０５０３）と段差を生じる。この段差は蓄光標識体が配置される段板の段鼻側（０５０５）においては「ｂ」であり、蓄光標識体が配置される段板の段鼻側と反対側（０５０４）においては「ａ」である。そして、「ａ<ｂ」の関係が成立するように構成される。なお、「ａ＝０」であっても「ｂ」により段差は生じるので、この場合も、「本体の上面と面一にならない」構成であることに変わりはない（後述の説明においても同様である）。
【００４０】
このように構成することにより、蓄光材料の上面の向き、すなわち、蓄光材料から発せられる光の主たる方向は、段板を基準面とする垂直方向に対し、より下の段側に「θ」の角度傾くことになる。したがって、図に向かい右側から斜め左上に向けて階段を昇る者に対して蓄光材料の光が向かうことになり、階段を昇る者にとっての視認性がより向上する。
【００４１】
図６は、上記後者の実施形態に係る蓄光標識体を示す概念図である。枠内に示される蓄光標識体（０６０１）に配置される蓄光材料（０６０２）の上面は、本体上面（０６０３）と段差を生じる。この段差は蓄光標識体が配置される段板の段鼻側（０６０５）においては「ｂ」であり、蓄光標識体が配置される段板の段鼻側と反対側（０６０４）においては「ａ」である。そして、「ａ>ｂ」の関係が成立するように構成される。
【００４２】
このように構成することにより、蓄光材料の上面の向き、すなわち、蓄光材料から発せられる光の主たる方向は、段板を基準面とする垂直方向に対し、より上の段側に「φ」の角度傾くことになる。したがって、図に向かい左側から斜め右下に向けて階段を降りる者に対して蓄光材料の光が向かうことになり、階段を降りる者にとっての視認性がより向上する。
<実施形態２  効果>
【００４３】
本実施形態により、昇降のいずれかに通行方向が特定される場合に、その特定された方向においてより一層の視認性向上を図ることが可能となる。
<実施形態３>
<実施形態３  概要>
【００４４】
本実施形態の蓄光標識体は、実施形態１又は２を基本とし、本体上面に設けられる溝が複数であるとともに、各溝が略平行に配置されることを特徴とするものである。溝を複数設けることで、段差の数が増加することによる滑り止め効果の向上が図られ、また、それぞれの溝に配置される蓄光材料の色を異なるものとしたり、あるいは、蓄光材料の上面の傾斜をそれぞれ異なるものとしたりすることにより、より一層の視認性の向上を図ることができる。
<実施形態３  構成>
【００４５】
図７は本実施形態の蓄光標識体の一例を示す概念図である。蓄光標識体（０７００）は、その本体（０７０１）の上面（０７０２）に複数の溝を設け、それぞれの溝に蓄光材料（０７０３、０７０４）が配置される。ここで、複数の溝は略平行に設けられることが好ましい。すなわち、平行でない場合には視る者に何らかの錯覚を与える場合があり、安全な昇降を妨げるおそれがあるからである。
【００４６】
複数の溝を設けることにより、蓄光材料と本体上面との段差の数が増加し、滑り止めの効果が向上する。また、それぞれの溝に配置される蓄光材料の色を異ならしめることができるので、例えば、緑色と黄色の蓄光材料をそれぞれ配置した場合、仮に緑色を視認することが苦手な者が昇降する場合であっても、黄色の蓄光材料については視認することでき安全に階段の昇降ができる。公共施設などに設置される階段は多くの者が昇降するため、このように構成された蓄光標識体はとくに好適である。
【００４７】
図８は、複数の溝を設ける場合における他の実施形態を示す概念図である。この蓄光標識体は、蓄光材料と本体上面との段差は、複数の溝どうしを比較したとき、この蓄光標識体が配置される段板の段鼻側が相対的に段差大であり、この蓄光標識体が配置される段板の段鼻側と反対側が相対的に段差小となるように構成したものである。
【００４８】
蓄光標識体（０８０１）の上面には３つの溝が設けられており、それぞれの溝に蓄光材料が配置されている。それぞれの蓄光材料は実施形態２で説明したように、蓄光材料と本体上面との段差が、段鼻側と反対側における段差に対して段鼻側における段差の方が大きくなるよう構成されている。さらに、それぞれの溝どうしを比較すると、最も段鼻側に配置される蓄光材料（０８０２）における段鼻側と段鼻側の反対側との段差が最も大きくなるように構成され、最も段鼻側の反対側に配置される蓄光材料（０８０４）における段鼻側と段鼻側の反対側との段差が最も小さくなるように構成されている。
【００４９】
したがって、最も段鼻側に配置される蓄光材料（０８０２）から発せられる光の主たる方向は、段板を基準面とする垂直方向に対し、より下の段側に「γ」の角度傾くことになる。そして、３つの溝のうち真ん中に位置する溝に配置される蓄光材料（０８０３）から発せられる光の主たる方向は、同様に「β」の角度傾き、最も段鼻側の反対側に配置される蓄光材料（０８０４）から発せられる光の主たる方向は、同様に「α」の角度傾くよう構成される。そして、それぞれの角度は、「α<β<γ」の関係が成立するように構成されている。
【００５０】
図９は、上記のように構成した蓄光標識体の効果を説明する図である。ここで、説明の便宜のため滑り止めステップを示すことを省略する。階段（０９００）に配置される蓄光標識体（０９０１）に配置される３つの蓄光材料のうち、最も段鼻側に配置される蓄光材料（０９０２）から発せられる主たる光の方向の傾きが最も大きく、真中の蓄光材料（０９０３）、最も段鼻と反対側の蓄光材料（０９０４）の順にその傾きは小さくなっている。
【００５１】
このように構成することにより、階段を昇るときに図中右下（０９０５）から斜め左上（０９０６、０９０７）へと移動する視点に対して、それぞれの視点との距離が近い蓄光材料からの光が向くようになる。したがって、階段を昇るときに視点の位置によって視認性が低下するおそれを低減することができ、安全に階段を昇ることにより効果を奏する。
【００５２】
同様に、蓄光材料と本体上面との段差を、複数の溝どうしを比較したとき、この蓄光標識体が配置される段板の段鼻側が相対的に段差小であり、この蓄光標識体が配置される段板の段鼻側と反対側が相対的に段差大となるように構成することで、より視認性に優れる降り用の蓄光標識体とすることができる。
<実施形態３  効果>
【００５３】
本実施形態により、昇降のいずれかに通行方向が特定される場合に、その特定された方向においてより一層の視認性向上を図ることが可能となる。
【符号の説明】
【００５４】
０１００  蓄光標識体
０１０１  本体
０１０２  上面
０１０３  蓄光材料
【図１】
2013249646.tif 000003
【図２】
2013249646.tif 000004
【図３】
2013249646.tif 000005
【図４】
2013249646.tif 000006
【図５】
2013249646.tif 000007
【図６】
2013249646.tif 000008
【図７】
2013249646.tif 000009
【図８】
2013249646.tif 000010
【図９】
2013249646.tif 000011